(57)【要約】【課題】本発明は、使用に便利であるテレビ及び制御装置及び制御方法を提供する。【解決手段】本発明に係る制御装置は、テレビを制御するために用いられ、起動操作を感知したかどうかを検出し、且つ起動命令を生成するタッチモジュール及び起動命令をテレビに送信する送信ユニットを備える。テレビは、前記起動命令に応じてスクリーン上にメニューを表示し、メニューは、制御装置の複数のキーに対応する複数のソフトキーを含み、メニュー上の位置は、タッチモジュール上の位置にそれぞれ対応し、タッチモジュールは、更に選択操作を感知したかどうかを検出するために用いられ、選択操作を検出した場合、選択操作の位置情報を生成し、位置情報は、前記送信ユニットによってテレビに送信され、これにより、スクリーン上の前記位置情報に対応する位置にあるソフトキーを選択するようにテレビを制御する。【選択図】図４
2014120168.tif 000002
【特許請求の範囲】
【請求項１】
テレビを制御するための制御装置において、
起動操作を感知したかどうかを検出し、且つ起動命令を生成するタッチモジュール及び前記起動命令をテレビに送信する送信ユニットを備え、
前記テレビは、前記起動命令に応じてスクリーン上にメニューを表示し、前記メニューは、制御装置の複数のキーに対応する複数のソフトキーを含み、
メニュー上の位置は、タッチモジュール上の位置にそれぞれ対応し、
前記タッチモジュールは、更に選択操作を感知したかどうかを検出するために用いられ、選択操作が検出された場合、選択操作の位置情報を生成し、
前記位置情報は、前記送信ユニットによってテレビに送信され、これにより、スクリーン上の前記位置情報に対応する位置にあるソフトキーを選択するようにテレビを制御することを特徴とする制御装置。
【請求項２】
前記タッチモジュールは、更に指示操作を感知したかどうかを検出するために用いられ、指示操作が検出された場合、相応の移動軌跡情報を生成し、且つ送信ユニットによって前記移動軌跡情報をテレビに送信し、これにより、カーソルをメニュー上に表示するようにテレビを制御し、
前記カーソルは、前記移動軌跡情報に基づいて移動することができ、これにより、ユーザに対して現在の操作位置を提示することを特徴とする請求項１に記載の制御装置。
【請求項３】
前記テレビのスクリーン上の位置は、タッチモジュール上の位置にそれぞれ対応し、
前記起動命令は、起動操作の位置情報を含み、これにより、メニューをスクリーン上の前記位置情報に対応する位置に表示するように前記テレビを制御することを特徴とする請求項２に記載の制御装置。
【請求項４】
制御装置によって制御されるテレビにおいて
前記制御装置は、
起動操作を感知したかどうかを検出し、且つ起動命令を生成し、更に、選択操作が感知されたかどうかを検出し、且つ選択操作の位置情報を生成するためのタッチモジュールと、
前記起動命令及び位置情報をテレビに送信する送信ユニットと、を備え、
前記テレビは、受信部、演算部及び制御部を備え、
前記受信部は、前記制御装置からの起動命令及び位置情報を受信し、
前記演算部は、前記位置情報に基づいてテレビのスクリーン上の対応する位置を計算し、
前記制御部は、前記起動命令に応じてスクリーン上にメニューを表示し、
前記メニューは、前記制御装置の複数のキーに対応する複数のソフトキーを含み、
前記メニュー上の位置は、前記制御装置上の位置にそれぞれ対応し、
前記制御部は、更にスクリーン上の計算された位置上のソフトキーを選択するために用いられることを特徴とするテレビ。
【請求項５】
前記タッチモジュールは、更に指示操作を感知したかどうかを検出するために用いられ、指示操作が発生した時、相応の移動軌跡情報を生成し、
前記テレビは、カーソル部をさらに備え、
前記受信部は、前記制御装置からの移動軌跡情報を受信し、
前記演算部は、前記移動軌跡情報に基づいてメニュー上の対応する移動軌跡を計算し、
前記カーソル部は、メニュー上にカーソルを表示し、且つ計算された移動軌跡に沿ってカーソルを移動し、これにより、ユーザに現在の操作位置を提示することを特徴とする請求項４に記載のテレビ。
【請求項６】
前記テレビは、計時部をさらに備え、前記演算部は、相応の位置を計算した後、検出信号を生成し、
前記制御部は、前記検出信号に応じて受信部が移動軌跡情報或いは位置情報を受信したかどうかを検出し、受信部が移動軌跡情報及び位置情報を受信しない場合、計時命令を生成し、
前記計時部は、該計時命令に応じて受信部が移動軌跡情報及び位置情報を受信しない時間を計測し、該計測時間が所定時間に達した場合、スクリーンからメニューを削除するために、制御部を制御するためのオフ命令を生成することを特徴とする請求項５に記載のテレビ。
【請求項７】
ユーザが制御装置によって選択を行うようにメニューをテレビのスクリーンに表示することに用いられる制御方法であって、
前記制御装置は、タッチモジュールを備え、
前記タッチモジュールは、起動操作を感知したかどうかを検出し、且つ起動命令を生成し、更に選択操作を感知したかどうかを検出し、且つ選択操作の位置情報を生成するために用いられ、
前記メニューは、制御装置の複数のキーに対応する複数のソフトキーを含み、
前記メニュー上の位置は、前記タッチモジュール上の位置にそれぞれ対応し、
前記制御方法は、
前記制御装置からの起動命令を受信したかどうかを検出するステップと、
起動命令を受信した場合、メニューをスクリーンに表示するステップと、
前記制御装置からの選択操作の位置情報を受信したかどうかを検出するステップと、
選択操作の位置情報を受信した場合、メニュー上の該位置情報に対応する位置を計算するステップと、
メニュー上の計算された位置にあるソフトキーを選択するステップと、
を備えることを特徴とする制御方法。
【請求項８】
前記タッチモジュールは、更に指示操作を感知したかどうかを検出するために用いられ、指示操作が検出された場合、相応の移動軌跡情報を生成し、メニューをスクリーンに表示するステップの後、
前記制御方法は、
前記制御装置からの移動軌跡情報を受信したかどうかを検出するステップと、
移動軌跡情報を受信した場合、移動軌跡情報に基づいてメニュー上の対応する移動軌跡を計算するステップと、
メニュー上にカーソルを表示し、計算された移動軌跡に沿って前記カーソルを移動するステップと、
をさらに備えることを特徴とする請求項７に記載の制御方法。
【発明の詳細な説明】
【技術分野】
【０００１】
本発明は、テレビ及び制御装置及び制御方法に関するものである。
【背景技術】
【０００２】
テレビ技術の発展に伴い、現在のテレビは、テレビ番組を閲覧するだけでなく、インターネット機能、カレンダー機能、演算機能、ゲーム機能等の機能も有している。従来のテレビは、一般的には、複数のキーを有するリモコンによって操作される。しかし、操作する過程において、ユーザは、リモコンにおいて所望のキーを探す必要があるため、非常に不便である。
【発明の概要】
【発明が解決しようとする課題】
【０００３】
前記課題を解決するために、本発明は、使用に便利であるテレビ及び制御装置及び制御方法を提供する。
【課題を解決するための手段】
【０００４】
本発明に係る制御装置は、テレビを制御するために用いられ、起動操作を感知したかどうかを検出し、且つ起動命令を生成するタッチモジュール及び前記起動命令をテレビに送信する送信ユニットを備える。前記テレビは、前記起動命令に応じてスクリーン上にメニューを表示し、前記メニューは、制御装置の複数のキーに対応する複数のソフトキーを含み、メニュー上の位置は、タッチモジュール上の位置にそれぞれ対応し、前記タッチモジュールは、更に選択操作を感知したかどうかを検出するために用いられ、選択操作が検出された場合、選択操作の位置情報を生成し、前記位置情報は、前記送信ユニットによってテレビに送信され、これにより、スクリーン上の前記位置情報に対応する位置にあるソフトキーを選択するようにテレビを制御する。
【０００５】
本発明に係るテレビは、制御装置によって制御される。前記制御装置は、起動操作が発生したか否かを検出し且つ起動命令を生成し、更に、選択操作が発生したか否かを検出し且つ選択操作の位置情報を生成するためのタッチモジュールと、前記起動命令及び位置情報をテレビに送信する送信ユニットと、を備える。前記テレビは、受信部、演算部及び制御部を備える。前記受信部は、前記制御装置からの起動命令及び位置情報を受信し、前記演算部は、前記位置情報に基づいてテレビのスクリーン上の対応する位置を計算し、前記制御部は、前記起動命令に応じてスクリーン上にメニューを表示し、前記メニューは、前記制御装置の複数のキーに対応する複数のソフトキーを含み、前記メニュー上の位置は、前記制御装置上の位置にそれぞれ対応し、前記制御部は、更にスクリーン上の計算された位置上のソフトキーを選択するために用いられる。
【０００６】
本発明に係る制御方法は、ユーザが制御装置によって選択を行うようにメニューをテレビのスクリーンに表示することに用いられる。前記制御装置は、タッチモジュールを備え、前記タッチモジュールは、起動操作感知したかどうかを検出し、且つ起動命令を生成し、更に選択操作を感知したかどうかを検出し、且つ選択操作の位置情報を生成するために用いられ、前記メニューは、制御装置の複数のキーに対応する複数のソフトキーを含み、前記メニュー上の位置は、前記タッチモジュール上の位置にそれぞれ対応する。前記制御方法は、前記制御装置からの起動命令を受信するか否かを検出するステップと、起動命令を受信した場合、メニューをスクリーンに表示するステップと、前記制御装置からの選択操作の位置情報を受信したかどうかを検出するステップと、選択操作の位置情報を受信した場合、メニュー上の該位置情報に対応する位置を計算するステップと、メニュー上の計算された位置にあるソフトキーを選択するステップと、を備える。
【発明の効果】
【０００７】
従来の技術と比べて、本発明のテレビ、制御装置及び制御方法においては、テレビ上にソフトキーを含むメニューが表示されるので、ユーザは、制御装置によってメニューの所望のソフトキーを選択することができ、これにより、テレビの相応の機能を実行することができる。従って、制御装置を見る必要がないため、使用に便利である。
【図面の簡単な説明】
【０００８】
【図１】本発明の実施形態に係るテレビ及び制御装置を含むテレビシステムを示す図である。
【図２】図１に示した制御装置のブロック図である。
【図３】図１に示したテレビの機能を示すブロック図である。
【図４】本発明の実施形態に係る制御方法のフローチャー トである。
【図５】本発明の実施形態に係る制御方法のフローチャートである。
【図６】テレビに表示されるメニューを示す図である。
【図７】図６に示したメニューの拡大図である。
【発明を実施するための形態】
【０００９】
以下、図面を参照して、本発明の実施形態について説明する。
【００１０】
図１を参照すると、本発明の実施形態に係るテレビシステム１００は、テレビ１０及び該テレビ１０を操作するための制御装置２０を備える。制御装置２０は、ブルートゥース（登録商標）、ＷＩ−ＦＩ及びＲＦ等のような既知の無線通信技術を介してテレビ１０と通信する。
【００１１】
図２を参照すると、制御装置２０は、タッチモジュール２１、送信ユニット２４及び複数のキー（図示せず）を備える。本実施形態において、タッチモジュール２１は、タッチスクリーンである。キーは、タッチモジュール２１に表示されるソフトキーである。キーは、数字キー、機能キー及び方向キー等を含む。
【００１２】
ユーザは、指やタッチペンによってタッチモジュール２１に接触することで、タッチモジュール２１に予め設定された対応する操作を呼び出す。具体的には、前記操作とは、起動操作、指示操作及び選択操作を含む。例えば、起動操作は、指やタッチペンによって１０秒等の所定時間、タッチモジュール２１の同じ位置を接触することであり、指示操作は、指やタッチペンによってタッチモジュール２１上をスライドさせること、又は指やタッチペンによって所定時間より短い時間でタッチモジュール２１に接触することであり、選択操作は、指やタッチペンによってタッチモジュール２１をクリックすることである。上述したように、起動操作、指示操作及び選択操作は、それぞれ機能が異なっている。
【００１３】
タッチモジュール２１は、タッチ操作が行われたかどうかを感知し、その操作に対応する命令を生成する。具体的には、前記命令は、起動操作に関連する起動命令、指示操作に関連する指示命令及び選択操作に関連する選択命令を含む。起動命令は、指やタッチペンが接触しているタッチモジュール２１上の位置に関連する位置情報を含む。指示命令は、指やタッチペンがタッチモジュール２１上でスライドする軌跡に関連する軌跡情報、又は指やタッチペンが所定時間より短い時間でタッチモジュール２１に接触した位置に関連する位置情報を含む。選択命令は、指やタッチペンが接触した位置に関連する位置情報を含む。タッチモジュール２１は、起動命令が生成される時、電力を節約するためにキーを表示しない。
【００１４】
送信ユニット２４は、起動命令、指示命令及び選択命令をテレビ１０に送信するために用いられる。
【００１５】
図３を参照すると、テレビ１０は、スクリーン１８、記憶部１１、演算部１２、カーソル部１３、受信部１６、制御部１４及び計時部１７を備える。
【００１６】
記憶部１１は、複数のソフトキー１１０を含むメニュー１１１を格納している（図６を参照）。ソフトキー１１０は、制御装置２０のキーに類似する。複数のソフトキー１１０は、テレビ１０の複数の機能に関連し、且つ該複数のソフトキー１１０を起動させることによって、テレビ１０の対応する機能を実行する。ソフトキー１１０の配置位置は、制御装置２０のキーの配置位置と同じである。テレビ１０は、制御装置２０を利用して、対応するソフトキー１１０を起動することによって対応する機能を実行する。他の実施形態において、複数のソフトキー１１０は、制御装置２０に格納されても良い。この場合、制御装置２０が起動命令を生成すると、制御装置２０は、該起動命令をテレビ１０に送信する。
【００１７】
受信部１６は、起動命令、指示命令及び選択命令を受信するために用いられる。起動命令は位置情報を含み、指示命令は位置情報又は軌跡情報を含み、選択命令は位置情報を含む。
【００１８】
スクリーン１８は、メニュー１１１を表示するために用いられ、スクリーン１８のサイズは、タッチモジュール２１のサイズより大きい。スクリーン１８上の位置は、タッチモジュール２１上の位置にそれぞれ対応する。
【００１９】
演算部１２は、起動命令に応じて位置情報及び予め設定された第一位置関係に基づいてスクリーン１８上の対応する位置を計算し、且つ計算された位置を制御部１４に送信する。第一位置関係は、タッチモジュール２１とスクリーン１８との間の位置関係である。
【００２０】
制御部１４は、メニュー１１１をスクリーン１８上の計算された位置に表示し（図６を参照）且つ検出信号を生成する。メニュー１１１のサイズは、タッチモジュール２１のサイズに等しい。メニュー１１１上の位置は、タッチモジュール２１上の位置に対応する。他の実施形態において、メニュー１１１のサイズは、タッチモジュール２１のサイズより大きいか又は小さくても良い。
【００２１】
制御部１４は、更に前記検出信号に応じて受信部１６が制御装置２０からの起動命令或いは指示命令を受信したかどうかを検出するために用いられる。受信部１６が起動命令或いは指示命令を受信しない場合、制御部１４は、計時命令を生成する。
【００２２】
計時部１７は、前記計時命令に応じて、受信部１６が起動命令或いは指示命令を受信しない時間を計測する。計測時間が所定時間に達した時、計時部１７は、計時を停止し、且つスクリーン１８からメニュー１１１を削除するために、制御部１４を制御するためのオフ命令を生成する。
【００２３】
演算部１２は、更に前記指示命令、軌跡情報及び予め設定された第二位置関係に応じてメニュー１１１上の対応する移動軌跡を計算するために用いられる。第二位置関係とは、タッチモジュール２１とメニュー１１１との間の位置関係のことである。
【００２４】
カーソル部１３は、メニュー１１１上にカーソルＣを生成して表示し、且つ計算された移動軌跡に沿ってカーソルＣを移動させるために用いられる。従って、ユーザは、該カーソルＣの指示によって所望のソフトキー１１０を操作することができるため、制御装置２０を見る必要がない（図７を参照）。
【００２５】
演算部１２は、更に選択命令に応じて対応する位置情報及び予め設定された第二位置関係に基づいて、スクリーン１８上の対応する位置を計算するために用いられる。制御部１４は、対応する位置上のソフトキー１１０を起動する。
【００２６】
図４及び図５を参照すると、本発明の実施形態に係る制御方法は、以下のステップＳ３０１〜ステップＳ３０６及びステップＳ４０１〜ステップＳ４１１を備える。その中、ステップＳ３０１〜ステップＳ３０６は、制御装置２０によって実行され、ステップＳ４０１〜ステップＳ４１１は、テレビ１０によって実行される。
【００２７】
ステップＳ３０１において、起動操作を感知したかどうかを検出する。起動操作を検出した場合、プロセスはステップＳ３０２に進み、起動操作を検出しない場合、プロセスは終了する。この起動操作とは、ユーザが指やタッチペンによって所定時間タッチモジュール２１の任意の位置に接触することである。
【００２８】
ステップＳ３０２において、起動操作の位置を確認し、且つ該位置情報をテレビ１０に送信する。
【００２９】
ステップＳ３０３において、起動操作と異なる指示操作を感知したかどうかを検出する。指示操作は、ユーザが指やタッチペンによってタッチモジュール２１上でスライドすること又は所定時間より短い時間でタッチモジュール２１に接触することである。指示操作を検出した場合、プロセスはステップＳ３０４に進み、指示操作を検出しない場合、プロセスはステップＳ３０１に戻る。
【００３０】
ステップＳ３０４において、指示操作の移動軌跡を識別し、且つ該移動軌跡情報をテレビ１０に送信する。
【００３１】
ステップＳ３０５において、指示操作と異なる選択操作を感知したかどうかを検出する。選択操作とは、ユーザが指やタッチペンによってタッチモジュール２１をクリックすることである。選択操作を検出した場合、プロセスはステップＳ３０６に進み、選択操作を検出しない場合、ステップＳ３０３に戻る。
【００３２】
ステップＳ３０６において、相応の位置情報を生成する。
【００３３】
ステップＳ４０１において、起動操作の位置情報を受信したかどうかを検出する。起動操作の位置情報を受信した場合、プロセスはステップＳ４０２に進み、起動操作の位置情報を受信しない場合、ステップＳ４０１を繰り返す。
【００３４】
ステップＳ４０２において、前記位置情報に基づいて、スクリーン１８上の対応する位置を計算する。
【００３５】
ステップＳ４０３において、メニュー１１１をスクリーン１８上の計算された位置に表示する。
【００３６】
ステップＳ４０４において、移動軌跡情報を受信したかどうかを検出する。移動軌跡情報を受信した場合、プロセスはステップＳ４０５に進み、移動軌跡情報を受信しない場合、プロセスはステップＳ４１０に進む。
【００３７】
ステップＳ４０５において、該移動軌跡情報に基づいてメニュー１１１上の相応の移動軌跡を計算する。
【００３８】
ステップＳ４０６において、メニュー１１１上にカーソルＣを生成して表示し、且つ計算された移動軌跡に沿ってカーソルＣを移動する。
【００３９】
ステップＳ４０７において、選択操作の位置情報を受信したかどうかを検出する。選択操作の位置情報を受信した場合、プロセスはステップＳ４０８に進み、選択操作の位置情報を受信しない場合、ステップＳ４０７を繰り返す。
【００４０】
ステップＳ４０８において、メニュー１１１上の相応の位置を計算する。
【００４１】
ステップＳ４０９において、メニュー１１１上の計算された位置にあるソフトキー１１０を起動する。
【００４２】
ステップＳ４１０において、再び位置情報を受信したどうかを検出する。位置情報を受信した場合、ステップＳ４０２に戻り、位置情報を受信しない場合、ステップＳ４１１に進む。
【００４３】
ステップＳ４１１において、移動軌跡情報及び位置情報を受信しない時間が所定時間に達したかどうかを判断する。移動軌跡情報及び位置情報を受信しない時間が所定時間に達した場合、プロセスはステップＳ４１２に進み、移動軌跡情報及び位置情報を受信しない時間が所定時間に達していない場合、プロセスはステップＳ４０４に戻る。
【００４４】
ステップＳ４１２において、スクリーン１８からメニュー１１１を削除する。
【００４５】
本発明のテレビ１０、制御装置２０及び制御方法において、テレビ１０上にソフトキー１１０を含むメニュー１１１が表示され、メニュー１１１上にカーソルＣが表示されるので、ユーザは、タッチモジュール２１上のタッチの移動軌跡に応じてカーソルＣを移動することによって所望のソフトキー１１０を選択することができる。従って、制御装置２０を見る必要がないため、使用に便利である。
【符号の説明】
【００４６】
１００  テレビシステム
１０  テレビ
２０  制御装置
２１  タッチモジュール
２４  送信ユニット
１１  記憶部
１２  演算部
１３  カーソル部
１４  制御部
１６  受信部
１７  計時部
１８  スクリーン
１１０  ソフトキー
１１１  メニュー
Ｃ  カーソル
【図１】
2014120168.tif 000003
【図２】
2014120168.tif 000004
【図３】
2014120168.tif 000005
【図４】
2014120168.tif 000006
【図５】
2014120168.tif 000007
【図６】
2014120168.tif 000008
【図７】
2014120168.tif 000009